(57)【要約】【課題】　ディスク傷を防止するための制御方法及びその装置を提供する。【解決手段】　対物レンズによるディスク傷を防止するための方法であって、（ｂ）フォーカスプルインする段階と、（ｃ）プルイン信号のレベルが所定臨界レベル未満で所定臨界時間以上続けられれば、対物レンズがディスクから遠ざかるように制御する段階と、を含む。よって、フォーカスプルイン時、外乱によって対物レンズがディスクに近づいてディスクに傷をつける状況に適切に対処することによってディスク傷が防止できる。【選択図】　　　図３ 
2004063075.tif 000002
【特許請求の範囲】
【請求項１】
　対物レンズによるディスク傷を防止するための方法において、
　（ｂ）フォーカスプルインする段階と、
　（ｃ）プルイン信号のレベルが所定臨界レベル未満で所定臨界時間以上続けられれば対物レンズがディスクから遠ざかるように制御する段階と、を含むことを特徴とする方法。
【請求項２】
　前記（ｃ）段階の所定臨界時間は、前記ピックアップを駆動するアクチュエータが実質的な最大速度で移動する時、前記対物レンズが前記ディスクに着いてはならない時間に設定されることを特徴とする請求項１に記載の方法。
【請求項３】
　前記（ｃ）段階は、
　前記対物レンズが装着されたピックアップを駆動するアクチュエータにＤＣ信号を加えることを特徴とする請求項１に記載の方法。
【請求項４】
　前記（ｃ）段階は、
　前記対物レンズが装着されたピックアップを駆動するアクチュエータにＤＣ信号を加えて前記アクチュエータを停止させることを特徴とする請求項１に記載の方法。
【請求項５】
　前記プルイン信号はフォトダイオードの複数の分割受光部に集光された信号の和信号であるか、前記和信号にローパスフィルタを通過させた信号であることを特徴とする請求項１に記載の方法。
【請求項６】
　対物レンズによるディスク傷を防止するための方法において、
　（ａ）プルイン信号を初期化する段階と、
　（ｂ）フォーカスプルインする段階と、
　（ｃ１）プルイン信号のレベルを検査する段階と、
　（ｃ２）前記プルイン信号のレベルが所定臨界レベル以下に低くなれば、その持続時間を検査する段階と、
　（ｃ３）前記持続時間が所定臨界時間以上続けられれば、前記対物レンズが装着されたピックアップをディスクから遠ざかるように制御する段階と、を含むことを特徴とする方法。
【請求項７】
　（ｃ４）前記持続時間が所定臨界時間以上持続されなければ、前記対物レンズが装着されたピックアップを駆動するためのアクチュエータをそのまま放置する段階をさらに含むことを特徴とする請求項６に記載の方法。
【請求項８】
　（ｃ５）前記持続時間が所定臨界時間以上持続されなければ前記対物レンズが装着されたピックアップを駆動するアクチュエータに以前に提供された駆動信号の平均値を出力する段階をさらに含むことを特徴とする請求項６に記載の方法。
【請求項９】
　前記（ａ）段階は、
　プルイン信号はフォーカスプルイン時、持続される所定のＤＣレベルを容易に検出できるように前記ＤＣレベルより低いレベルに初期化する段階を含むことを特徴とする請求項６に記載の方法。
【請求項１０】
　前記（ｃ２）段階の所定臨界値は前記ピックアップを駆動するアクチュエータが実質的な最大速度で移動する時、前記対物レンズが前記ディスクに着いてはならない時間に設定されることを特徴とする請求項６に記載の方法。
【請求項１１】
　前記（ｃ３）段階は、
　前記対物レンズが装着されたピックアップを駆動するアクチュエータにＤＣ信号を加えることを特徴とする請求項６に記載の方法。
【請求項１２】
　前記（ｃ３）段階は、
　前記対物レンズが装着されたピックアップを駆動するアクチュエータにＤＣ信号を加えて前記アクチュエータを停止させることを特徴とする請求項６に記載の方法。
【請求項１３】
　前記プルイン信号はフォトダイオードの複数の分割受光部に集光された信号の和信号であるか、前記和信号にローパスフィルタを通過させた信号であることを特徴とする請求項６に記載の方法。
【請求項１４】
　対物レンズによるディスク傷を防止するための装置において、
　前記対物レンズが装着されたピックアップと、
　前記ピックアップを駆動するアクチュエータと、
　前記ピックアップからプルイン信号を検出する信号検出器と、
　前記信号検出器によって検出されたプルイン信号のレベルが所定臨界レベル未満で所定臨界時間以上続けられれば、前記対物レンズがディスクから遠ざかるように前記アクチュエータを制御する制御部と、を含むことを特徴とする装置。
【請求項１５】
　前記臨界時間は前記アクチュエータが実質的な最大速度で移動する時、前記対物レンズが前記ディスクに着いてはならない時間に設定されることを特徴とする請求項１４に記載の装置。
【請求項１６】
　前記制御部は、
　前記アクチュエータにＤＣ信号を加えることを特徴とする請求項１４に記載の装置。
【請求項１７】
　前記制御部は、
　前記アクチュエータにＤＣ信号を加えて前記アクチュエータを停止させることを特徴とする請求項１４に記載の装置。
【請求項１８】
　前記プルイン信号は前記ピックアップに装着されたフォトダイオードの複数の分割受光部に集光された信号の和信号であるか、前記和信号をローパスフィルタに通過させた信号であることを特徴とする請求項１４に記載の装置。
【発明の詳細な説明】
【技術分野】
【０００１】
　本発明は、対物レンズによるディスク傷を防止するための制御方法及びその装置に関する。
【背景技術】
【０００２】
　最近、光ディスクシステムにおいて、光ディスクの記録密度を高めるためにより高い開口率を有する対物レンズを使用し、より短い波長のレーザーダイオードを使用している。開口率が高まって波長が短くなれば焦点距離が短くなって小さい外乱にも容易に対物レンズが光ディスクにぶつかり、ディスク表面に傷が生じる。ＢＤ（Ｂｌｕｅ　Ｄｉｓｃｓ）等次世代の高密度光ディスクの場合、ＤＶＤに比べて約５倍の記録密度を有することを目標としているので、高い開口率の対物レンズと短波長レーザー（Ｂｌｕｅ　ｌａｓｅｒ）を使用する。したがって、対物レンズによってディスクに傷が生じる可能性が非常に高くなる。ポータブルシステムの場合、光ディスクと対物レンズとの間隔が狭くて使用環境が一定ではないので、外乱がより頻繁に生じてディスクに傷が生じる可能性がさらに高まる。
【０００３】
【特許文献１】特開平９−１２０５５３号公報
【発明の開示】
【発明が解決しようとする課題】
【０００４】
　したがって、本発明の目的は、光ディスクシステムにおいて対物レンズによるディスク傷を防止するための制御方法及びその装置を提供することである。
【０００５】
　本発明のさらに他の目的はモバイル光ディスクシステムにおいて対物レンズによるディスク傷を防止するための方法及びその装置を提供することである。
【課題を解決するための手段】
【０００６】
　前記目的を達成するために、対物レンズによるディスク傷を防止するための方法において、（ｂ）フォーカスプルインする段階と、（ｃ）プルイン信号のレベルが所定臨界レベル未満で所定臨界時間以上続けられれば、対物レンズがディスクから遠ざかるように制御する段階とを含むことを特徴とする方法によって達成される。
【０００７】
　前記（ｃ）段階の所定臨界時間は、前記ピックアップを駆動するアクチュエータが実質的な最大速度で移動する時、前記対物レンズが前記ディスクに着いてはならない時間に設定されるのが望ましい。
【０００８】
　前記（ｃ）段階は、前記対物レンズが装着されたピックアップを駆動するアクチュエータにＤＣ信号を加えるのが望ましい。
【０００９】
　また、前記目的は対物レンズによるディスク傷を防止するための方法において、（ａ）プルイン信号を初期化する段階と、（ｂ）フォーカスプルインする段階と、（ｃ１）プルイン信号のレベルを検査する段階と、（ｃ２）前記プルイン信号のレベルが所定臨界レベル以下に低くなれば、その持続時間を検査する段階と、（ｃ３）前記持続時間が所定臨界時間以上続けられれば、前記対物レンズが装着されたピックアップをディスクから遠ざかるように制御する段階とを含むことを特徴とする方法によっても達成される。
【００１０】
　前記方法は、（ｃ４）前記持続時間が所定臨界時間以上持続されなければ、前記対物レンズが装着されたピックアップを駆動するためのアクチュエータをそのまま放置する段階をさらに含み、（ｃ５）前記持続時間が所定臨界時間以上持続されなければ、前記対物レンズが装着されたピックアップを駆動するアクチュエータに以前に提供された駆動信号の平均値を出力する段階をさらに含むことが望ましい。
【００１１】
　一方、本発明の他の分野によると、前記目的は対物レンズによるディスク傷を防止するための装置において、前記対物レンズが装着されたピックアップと、前記ピックアップを駆動するアクチュエータと、前記ピックアップからプルイン信号を検出する信号検出器と、前記信号検出器によって検出されたプルイン信号のレベルが所定臨界レベル未満で所定臨界時間以上続けられれば、前記対物レンズがディスクから遠ざかるように前記アクチュエータを制御する制御部とを含むことを特徴とする装置によっても達成される。
【発明の効果】
【００１２】
　前述したように、本発明によると、フォーカスプルイン時に外乱によって対物レンズがディスクに近づいてディスクに傷をつけられる状況に適切に対処することによって、ディスク傷を防止できる制御方法及び装置が提供される。特に、本発明は焦点距離が短いので、フォーカスプルイン時に対物レンズ（ピックアップ）とディスクとがより近く位置する高密度記録システムや外乱が生じる可能性がより高いモバイル光ディスクシステムにおいてその効果が顕著である。
【発明を実施するための最良の形態】
【００１３】
　以下、添付された図面を参照して本発明の望ましい実施例を詳しく説明する。
【００１４】
　図１は、本発明の望ましい実施例による装置の概略図である。本実施例による装置は対物レンズによるディスク傷を防止する器能を具備した装置であって、ピックアップ１、アクチュエータ２、信号検出器４、及び制御部７を含む。制御部７は、ドライブ３及び制御器５を具備する。６はディスク１００を回転させるためのスピンドルモータを示す。
【００１５】
　ピックアップ１にはディスク１００にレーザービームを照射するための対物レンズ（図示せず）が装着されている。アクチュエータ２はピックアップ１を駆動する。信号検出器４はピックアップ１に装着されたフォトダイオード（図示せず）から出力された信号に基づいてプルイン信号を検出する。制御器５は、信号検出器４によって検出されたプルイン信号のレベルを検査してプルイン信号のレベルが所定臨界レベル以下に所定臨界時間以上続けられれば、対物レンズがディスク１００から遠ざかるように制御する制御信号をドライブ３に出力する。ドライブ３は制御器５からの制御信号に相応する駆動信号をアクチュエータ２に出力する。すなわち、ドライブ３はアクチュエータ２に高いレベルの強いＤＣ信号を加えてピックアップ１をディスク１００から遠ざかるように移動させた後、アクチュエータ２を停止させる。
【００１６】
　臨界時間はアクチュエータ２が実質的な最大速度で移動する時、対物レンズがディスク１００に着いてはならない時間に設定される。臨界レベルはフォーカス制御中、外乱によってピックアップ１がディスク１００に近づく時、ピックアップ１に装着された対物レンズがディスク１００に着いてはならないレベルであって実測によって適切な数値に設定される。
【００１７】
　図２は、図１のピックアップ１の詳しい構造図である。ピックアップ１はレーザーダイオード（以下、ＬＤ、１５）、コリメート（ｃｏｌｌｉｍａｔｅ）レンズ１４、対物レンズ１１、ビームスプリッタ１２及びフォトダイオード（以下、ＰＤ、１３）を具備する。
【００１８】
　ＬＤ　１５がレーザーを発振すると、コリメートレンズ１４は発散光レーザーを平行光レーザービームに作る。対物レンズ１１はディスク１００の反射面にレーザービームを接続する。接続されたレーザービームはディスク１００の記録面に入射されて再反射される。ビームスプリッタ１２は入射されたレーザービームと反射されたレーザービームとを分離して反射されたレーザービームがＰＤ　１３側に到達するように経路を変更させる。フォトダイオードＰＤ　１３は反射されたレーザービームを受光する受光素子であって、複数の分割受光部を有している。分割受光部が２つであれば２分割フォトダイオード、４つであれば４分割フォトダイオード、８つであれば８分割フォトダイオードと呼ぶ。
【００１９】
　本発明でプルイン信号はフォトダイオード１３の複数の分割受光部に集光された信号の和信号またはその和信号を適切な低域通過フィルタによって高周波成分がフィルタリングされた信号を指す。レーザービームの焦点がディスク１００の記録面に正確に結ばれるように制御するために必要なフォーカスエラー信号もフォトダイオード１３の複数の分割受光部に集光された信号に基づいて生成される。
【００２０】
　一方、ピックアップ１の構成要素及び構成要素の配置構造は、本発明の特徴と独立的であるので、図２に示す構成要素及びその構造が必ずしも必須であるのではなくて、必要に応じて異なる構造を有せることは言うまでもない。ただし、本発明によるプルイン信号を生成するためのフォトダイオード１３は必須構成要素である。ただし、他の構成要素と関連してフォトダイオード１３の配置位置は多様に決定されうる。
【００２１】
　図３は、本発明による、対物レンズによるディスク傷を防止するための方法が遂行される一状況を説明するための参考図である。ピックアップ１がフォーカスプルイン動作を遂行する中、対物レンズ１１がディスク１００に傷をつける程にディスク１００に近づく時、本発明によってピックアップ１をディスク１００から遠ざかる方向に移動させる過程で生成されるフォーカスエラー信号、プルイン信号及びアクチュエータ駆動信号を確認できる。
【００２２】
　レーザービームの焦点がディスク１００の記録面に結ばれれば、すなわち、フォーカスプルインが行われば、プルイン信号のレベルは初期値から所定ＤＣレベル△Ｖ１に高まる。フォーカスプルインが行われる間、外乱が加わってピックアップ１が突然ディスク１００に近づくと、フォーカスエラー信号には維持されていた所定ＤＣレベルが下に落ちる部分波形Ｂが出現する。次いで、プルイン信号のレベルは本実施例による臨界レベルより小さい数値、すなわち、初期値に落ちる。プルイン信号のレベルが初期値に落ちた後、所定時間△ｔ１以上持続されることはピックアップ１がディスク１００に向かって移動し続けており、よって、対物レンズがディスク１００にぶつかる可能性があることを意味するので、ピックアップ１の対物レンズ１１がディスク１００に着く前にアクチュエータ２に強いＤＣ電流を加えてピックアップ１をディスク１００と遠ざかる方向に強制的に移動させる。アクチュエータ駆動信号は所定時間△ｔ１が経過した時点Ａに所定レベル△Ｖ２降下したＤＣレベルに維持され続ける。ピックアップ１はディスク１００から遠ざかった後、停止するのでプルイン信号のレベルは再び上がってから初期値に落ちる。
【００２３】
　図４は、本発明による、対物レンズによるディスク傷を防止するための方法が行われるほかの状況を説明するための参考図である。ピックアップ１がフォーカスプルイン動作を遂行する中、外乱によって対物レンズ１１がディスク１００から遠ざかる時、フォーカスエラー信号、プルイン信号及び本発明によるアクチュエータ駆動信号を確認できる。
【００２４】
　レーザービームの焦点がディスク１００の記録面に結ばれれば、すなわち、フォーカスプルインが遂行されれば、プルイン信号のレベルが初期値から所定ＤＣレベルに高まる。フォーカスプルインが遂行される間、外乱が加わってピックアップ１が突然ディスク１００から遠ざかれば、フォーカスエラー信号には所定ＤＣレベルが維持されてからそのレベルが上に上がる部分波形が出現する。次いで、プルイン信号のレベルは本実施例による臨界レベルより小さいレベル、すなわち、初期値に落ちる。プルイン信号のレベルが初期値に落ちた後、所定時間△ｔ１以上持続されることはピックアップ１がフォーカス制御から外れていつでも対物レンズ１１がディスク１００にぶつかる可能性があることを意味するので、アクチュエータ２に強いＤＣ電流を加えてピックアップ１をディスク１００から遠ざかる方向に移動させた後、停止させる。強いＤＣ電流はピックアップ１が停止するまでアクチュエータ２に伝わり続ける。アクチュエータ駆動信号は所定時間△ｔ１が経過した時点Ｂ以後には所定レベル降下したＤＣレベルに維持されるのが確認できる。また、ピックアップ１がディスク１００から遠ざかった後、停止するのでプルイン信号は初期値を維持し続ける。
【００２５】
　図５は、本発明による、対物レンズによるディスク傷を防止するための方法が遂行されるさらに他の状況を説明するための参考図である。ピックアップ１がフォーカスプルイン動作を遂行する中、ディスク１００に形成されたブラックドットなどの傷が形成された部分をレーザービームスポットが通過する時のフォーカスエラー信号、プルイン信号及びアクチュエータ駆動信号が確認できる。
【００２６】
　レーザービームの焦点がディスク１００の記録面に結ばれれば、すなわち、フォーカスプルインが遂行されれば、プルイン信号のレベルが初期値から所定ＤＣレベル△Ｖ１に高まる。フォーカスプルインが遂行される間、レーザービームスポットがブラックドットの傷が形成された部分を通過すれば、フォーカスエラー信号は所定ＤＣレベルが維持されてからそのレベルが上に上がる部分波形Ｃが出現する。ただし、部分波形Ｃは図３のそれに比べてそのレベルが低く、ｓｉｎ波形を有する。次いで、プルイン信号のレベルは本実施例による臨界レベルより低いレベル、すなわち、初期値に落ちる。しかし、プルイン信号のレベルは初期値に落ちた後、所定臨界時間△ｔ１以上持続されず、臨界時間△ｔ１より短い任意の時間△ｔ２が経過すれば、再び以前のＤＣレベルに回復する。これはピックアップ１がディスク１００に向かって移動し続けていることを意味しないので、ドライブ３は全然動作を遂行しないか以前にアクチュエータ２に印加した信号、すなわち、アクチュエータ駆動信号の平均値をアクチュエータ２に出力する。
【００２７】
　前記のような構成に基づいて本発明によるディスク傷を防止するための方法を説明すれば次の通りである。
【００２８】
　図６は本発明の一実施例による、対物レンズによるディスク傷を防止するための方法を説明するためのフローチャートである。
【００２９】
　制御部７はレーザーダイオード１５をオフさせたり対物レンズ１１から出射されたレーザービームがディスク１００の記録面で反射されてフォトダイオード１３に入射されない位置にピックアップ１を移動させた状態でプルイン信号の初期値を設定する（６０１段階）。初期値は、図３乃至図５を参照して前述したような多様な状況でプルイン信号のレベル変化を容易に検査できる数値に設定される。制御部７はレーザービームスポットがディスクの記録面に正確に結ばれるようにフォーカス制御を遂行する。すなわち、フォーカスプルインする（６０２段階）。フォーカスプルインされれば、フォトダイオードＰＤ　１３に集光される光量が最も多い状態になるので、この時、得られるプルイン信号は適切なＤＣレベルを有する信号となる。したがって、プルイン信号のレベルを検査すれば、現在フォーカスプルインが正しく遂行されているかの如何が確認できる。レーザービームスポットが正確にフォーカシングされる間にはプルイン信号のレベルは所定ＤＣレベルを維持する。
【００３０】
　一方、制御部７はプルイン信号のレベルが所定臨界レベルＶｒｅｆより低くなった後、所定臨界時間△ｔ１の間持続されているかの如何を検査する（６０３段階）。
【００３１】
　プルイン信号のレベルが所定臨界時間△ｔ１間所定臨界レベルＶｒｅｆより低くならないと制御部７はピックアップ１がディスク１００に向かって移動していないと見なして、フォーカス制御を行い続ける（６０４段階）。
【００３２】
　プルイン信号のレベルが所定臨界時間△ｔ１間所定臨界レベルＶｒｅｆより低くなれば制御部７はピックアップ１がディスク１００に向かって移動していると見なしてピックアップ１をディスク１００から遠ざかるように移動させたり、移動させた後で停止させるためのアクチュエータ駆動信号をアクチュエータ２に出力する（６０５段階）。
【００３３】
　図７は本発明の他の実施例による、対物レンズによるディスク傷を防止するための方法を説明するフローチャートである。制御部７はレーザーダイオード１５をオフさせたり、対物レンズ１１から出射されたレーザービームがディスク１００の記録面で反射されてフォトダイオード１３に入射されない位置にピックアップ１を移動させた状態でプルイン信号の初期値を設定する（７０１段階）。初期値は、図３乃至図５を参照して前述したような多様な状況でプルイン信号のレベル変化を容易に検査できる数値に設定される。制御部７はレーザービームスポットがディスクの記録面に正確に結ばれるようにフォーカス制御を遂行する。すなわち、フォーカスプルインする（７０２段階）。フォーカスプルインされれば、フォトダイオードＰＤ　１３に集光される光量が最も多い状態になるので、この時に得られるプルイン信号は適切なＤＣレベルを有する信号となる。したがって、プルイン信号のレベルを検査すると現在フォーカスプルインが正しく遂行されているかの如何が確認できる。レーザービームスポットが正確にフォーカシングされている間にはプルイン信号のレベルは所定ＤＣレベルを維持する。
【００３４】
　一方、制御部７はプルイン信号のレベルが所定臨界レベルＶｒｅｆより低くなるかの如何を検査する（７０３段階）。プルイン信号のレベルが所定臨界レベルＶｒｅｆより低くならないとフォーカス制御を行い続ける（７０４段階）。
【００３５】
　プルイン信号のレベルが所定臨界レベルＶｒｅｆより低くなれば、そのレベルが所定臨界時間△ｔ１以上持続されるかの如何を検査する（７０５段階）。プルイン信号のレベルが所定臨界レベルＶｒｅｆより低くなったが、所定臨界時間△ｔ１間持続されなければ、制御部７はピックアップ１がディスク１００に向かって移動していないと見なして、制御部７は以前にアクチュエータ２に出力した駆動信号の平均値、すなわち駆動平均値をアクチュエータ２に出力する（７０６段階）。
【００３６】
　プルイン信号のレベルが所定臨界レベルＶｒｅｆより低くなった状態が所定臨界時間△ｔ１以上続けられれば制御部７はピックアップ１がディスク１００に向かって移動していると見なして、ピックアップ１をディスク１００から遠ざかるように移動させたり、移動した後で停止させるための駆動信号をアクチュエータ２に出力する（７０７段階）。
【００３７】
　図８及び図９は開口率０.７以上、波長５００ｎｍ以下のレーザーダイオードが装着されたピックアップを具備した光ディスクシステムに基づいて本発明によって対物レンズによるディスク傷を防止するための制御方法を実行するために実測された信号を示す。
【００３８】
　図８を参照すれば、ピックアップ１がディスク１００に近づいてから遠ざかるように、言い換えれば、ピックアップ１が上下移動するようにアクチュエータ２を駆動させるためのアクチュエータ駆動信号、フォーカスエラー信号及びプルイン信号を示す。これによると、フォーカス制御が進行される時、すなわち、フォーカスプルインが遂行される時にプルイン信号は所定ＤＣレベルを維持していることが確認できる。
【００３９】
　図９を参照すれば、本発明によって対物レンズによるディスク傷を防止するための方法を実行した時に得られるアクチュエータ駆動信号、フォーカスエラー信号及びプルイン信号が分かる。プルイン信号が所定ＤＣレベルを維持してから初期値に落ちて所定臨界時間△ｔ１以上経過すると、アクチュエータ駆動信号は臨界時間△ｔ１が経過された時点Ｅ以後でピックアップ１がディスク１００から遠ざかる方向に所定ＤＣレベルを維持する。それにより、ピックアップ１はディスク１００から遠ざかる方向に移動した後、立ち止まるようになる。
【産業上の利用可能性】
【００４０】
　本発明は、ディスクから情報を記録／再生するためのディスクドライブ、記録装置、再生装置などを製造したり、販売する分野に直間接的に関連した産業分野に利用される。最近にはモバイルシステムにも採用されており、その利用分野が漸次拡大されている。
【図面の簡単な説明】
【００４１】
【図１】本発明の望ましい実施例による装置の概略図である。
【図２】図１のピックアップ１の詳細構造図である。
【図３】本発明による、対物レンズによるディスク傷を防止するための方法が遂行される一状況を説明するための参考図である。
【図４】本発明による、対物レンズによるディスク傷を防止するための方法が遂行される他の状況を説明するための参考図である。
【図５】本発明による、対物レンズによるディスク傷を防止するための方法が遂行されるさらに他の状況を説明するための参考図である。
【図６】本発明の一実施例による、対物レンズによるディスク傷を防止するための方法を説明するフローチャートである。
【図７】本発明の他の実施例による、対物レンズによるディスク傷を防止するための方法を説明するフローチャートである。
【図８】開口率０.７以上、波長５００ｎｍ以下のレーザーダイオードが装着されたピックアップを具備した光ディスクシステムに基づいて本発明によって対物レンズによるディスク傷を防止するための制御方法を実行するために実測された信号を示す波形図である。
【図９】開口率０.７以上、波長５００ｎｍ以下のレーザーダイオードが装着されたピックアップを具備した光ディスクシステムに基づいて本発明によって対物レンズによるディスク傷を防止するための制御方法を実行するために実測された信号を示す波形図である。
【符号の説明】
【００４２】
１　　　ピックアップ
２　　　アクチュエータ
３　　　ドライブ
４　　　信号検出器
５　　　制御器
６　　　スピンドルモータ
７　　　制御部
１１　　対物レンズ
１２　　ビームスプリッタ
１３　　フォトダイオード（ＰＤ）
１４　　コリメートレンズ
１５　　レーザーダイオード（ＬＤ）
１００　ディスク
【図１】
2004063075.tif 000003
【図２】
2004063075.tif 000004
【図３】
2004063075.tif 000005
【図４】
2004063075.tif 000006
【図５】
2004063075.tif 000007
【図６】
2004063075.tif 000008
【図７】
2004063075.tif 000009
【図８】
2004063075.tif 000010
【図９】
2004063075.tif 000011